(57)【特許請求の範囲】
【請求項１】
頂板部と該頂板部の周縁から垂下するスカート壁とからなるキャップ本体と、天面壁と該天面壁の周縁から垂下する側壁とからなる上蓋とを有し、
前記上蓋は、前記キャップ本体にヒンジを介して連結されており、
前記上蓋の側壁外周面には、該ヒンジと反対側に開封用鍔部が形成されており、
前記キャップ本体のスカート壁には、前記上蓋が閉栓状態において開封用鍔部を覆うようにスカート壁に連結されているタンパーエビデントカバーが設けられている、不正開封防止ヒンジキャップにおいて、
前記タンパーエビデントカバーは側壁部と該側壁部の下端から前記キャップ本体のスカート壁外面に向かって斜め下方に延びる底壁部とからなり、
前記側壁部の左右両端は破断可能な弱化部を介して前記キャップ本体のスカート壁に連結されており、
前記タンパーエビデントカバーの側壁部上部には上部カバー開封用指掛部が形成され、
前記タンパーエビデントカバーの側壁部下部には下部カバー開封用指掛部が形成され、
前記下部カバー開封用指掛部は、前記側壁部下端全体から下方に突出して前記底壁部を覆うように形成されている、ことを特徴とする不正開封防止ヒンジキャップ。
【請求項２】
頂板部と該頂板部の周縁から垂下するスカート壁とからなるキャップ本体と、天面壁と該天面壁の周縁から垂下する側壁とからなる上蓋とを有し、
前記上蓋は、前記キャップ本体にヒンジを介して連結されており、
前記上蓋の側壁外周面には、該ヒンジと反対側に開封用鍔部が形成されており、
前記キャップ本体のスカート壁には、前記上蓋が閉栓状態において開封用鍔部を覆うようにスカート壁に連結されているタンパーエビデントカバーが設けられている、不正開封防止ヒンジキャップにおいて、
前記タンパーエビデントカバーは側壁部と該側壁部の下端から前記キャップ本体のスカート壁外面に向かって延びる底壁部とからなり、
前記側壁部の左右両端は破断可能な弱化部を介して前記キャップ本体のスカート壁に連結されており、
前記タンパーエビデントカバーの側壁部上部には上部カバー開封用指掛部が形成され、
前記タンパーエビデントカバーの側壁部下部には下部カバー開封用指掛部が形成され、
前記下部カバー開封用指掛部は、前記側壁部下端から外方に突出して延びている、ことを特徴とする不正開封防止ヒンジキャップ。
【請求項３】
前記底壁部は前記キャップ本体のスカート壁外面と、破断可能な弱化部を介して連結されていることを特徴とする請求項１または２記載の不正開封防止ヒンジキャップ。
【発明の詳細な説明】
【技術分野】
【０００１】
本発明は、上蓋にタンパーエビデント性を持たせた不正開封防止ヒンジキャップに関する。
【背景技術】
【０００２】
キャップ本体に上蓋がヒンジ連結されるヒンジキャップは、各種調味料などが充填された容器のキャップとして使用されている。また、一般に、各種容器のキャップには、いたずら防止や容器内容物の品質保証などのために、開封履歴明示機能、即ち、タンパーエビデント性（以下、ＴＥ性と言う）が要求される。この開封履歴明示機能によりキャップが開封されていないという事実をユーザが認識して、容器内容物に関しての品質が保証されるからである。
【０００３】
このようなヒンジキャップとして、例えば特許文献１には、上蓋にＴＥ性を持たせたヒンジキャップが提案されている。このヒンジキャップは、キャップ本体のスカート壁（筒状側壁）の外面の上端部分に帯片を設け、且つ上蓋のスカート部下端に設けられている開封用鍔の下面に突片を設け、上蓋を閉栓したときに開封用鍔の下面の突片が帯片と筒状側壁外面との間の空間に嵌め込まれて固定されるというものである。即ち、上蓋を開封するためには帯片を破壊しなければならず、帯片の破壊状態によって上蓋の開封の有無を認識できるようになっている。
【０００４】
しかし、上記特許文献１のヒンジキャップでは、上蓋の開封用鍔の下面の突片が外部に露出しているため、この突片を上方に押し上げると、該鍔の下面の突片が帯片と筒状側壁外面との間の空間からすっぽ抜けてしまうことがある。このような場合に再び上蓋を閉じて突片を帯片と筒状側壁外面との間の空間に嵌め込んでしまうと、キャップの外観からは上蓋が一旦開封された事実を認識することが困難となってしまう問題点があった。
【０００５】
このため、ＴＥ性をさらに高めるようにしたヒンジキャップを本出願人が提案している（特許文献２）。このヒンジキャップは、上蓋が閉じられた状態において、開封用鍔の外周面を覆うような帯状のタンパーエビデントカバー（帯状カバー部材）を設けたものであり、この帯状カバー部材は破断可能な弱化線乃至スコアを介してキャップ本体の筒状側壁外面に連結されており、帯状カバー部材をキャップ本体の筒状側壁外面から引き剥がさない限り、この鍔を指等で引っ張り上げることができず、特許文献１のヒンジキャップに比して、そのＴＥ性が高められるようにしたものである。
【特許文献１】実公平２−２１４０６号公報
【特許文献２】特開２００４−１７５４３６号公報
【発明の開示】
【発明が解決しようとする課題】
【０００６】
しかしながら、特許文献２のヒンジキャップでは、開封用鍔を帯状カバー部材が完全に覆っているため、一見して帯状カバー部材を開封用鍔と認識してしまった消費者が、開封の際に、帯状カバー部材の下方に指を当てて無理やり押し上げようとしてしまうなど、帯状カバー部材の取り外しが分かり難いという問題点があった。
【０００７】
そこで、本発明は上記従来の課題を解決するためになされたもので、タンパーエビデントカバーの開封操作性に優れた不正開封防止ヒンジキャップを提供することを目的とする。また、本発明の他の目的は、ＴＥ性に優れた不正開封防止ヒンジキャップを提供することである。
【課題を解決するための手段】
【０００８】
本発明の不正開封防止ヒンジキャップは、頂板部と該頂板部の周縁から垂下するスカート壁とからなるキャップ本体と、天面壁と該天面壁の周縁から垂下する側壁とからなる上蓋とを有し、
前記上蓋は、前記キャップ本体にヒンジを介して連結されており、
前記上蓋の側壁外周面には、該ヒンジと反対側に開封用鍔部が形成されており、
前記キャップ本体のスカート壁には、前記上蓋が閉栓状態において開封用鍔部を覆うようにスカート壁に連結されているタンパーエビデントカバーが設けられている、不正開封防止ヒンジキャップにおいて、
前記タンパーエビデントカバーは側壁部と該側壁部の下端から前記キャップ本体のスカート壁外面に向かって斜め下方に延びる底壁部とからなり、
前記側壁部の左右両端は破断可能な弱化部を介して前記キャップ本体のスカート壁に連結されており、
前記タンパーエビデントカバーの側壁部上部には上部カバー開封用指掛部が形成され、
前記タンパーエビデントカバーの側壁部下部には下部カバー開封用指掛部が形成され、
前記下部カバー開封用指掛部は、前記側壁部下端全体から下方に突出して前記底壁部を覆うように形成されていることを特徴とする。
【０００９】
請求項２の不正開封防止ヒンジキャップは、
頂板部と該頂板部の周縁から垂下するスカート壁とからなるキャップ本体と、天面壁と該天面壁の周縁から垂下する側壁とからなる上蓋とを有し、
前記上蓋は、前記キャップ本体にヒンジを介して連結されており、
前記上蓋の側壁外周面には、該ヒンジと反対側に開封用鍔部が形成されており、
前記キャップ本体のスカート壁には、前記上蓋が閉栓状態において開封用鍔部を覆うようにスカート壁に連結されているタンパーエビデントカバーが設けられている、不正開封防止ヒンジキャップにおいて、
前記タンパーエビデントカバーは側壁部と該側壁部の下端から前記キャップ本体のスカート壁外面に向かって延びる底壁部とからなり、
前記側壁部の左右両端は破断可能な弱化部を介して前記キャップ本体のスカート壁に連結されており、
前記タンパーエビデントカバーの側壁部上部には上部カバー開封用指掛部が形成され、
前記タンパーエビデントカバーの側壁部下部には下部カバー開封用指掛部が形成され、
前記下部カバー開封用指掛部は、前記側壁部下端から外方に突出して延びていることを特徴とする。
【００１０】
請求項３の不正開封防止ヒンジキャップは、請求項１または２において、前記底壁部は前記キャップ本体のスカート壁外面と、破断可能な弱化部を介して連結されていることを特徴とする。
【発明の効果】
【００１１】
本発明によれば、上蓋の閉栓状態において開封用鍔部を覆うように設けられたタンパーエビデントカバーの側壁部上部及び側壁部下部にはそれぞれ上部カバー開封用指掛部、下部カバー開封用指掛部が形成されているので、開封時に上下どちらからタンパーエビデントカバーの取り外し操作を行っても、確実にタンパーエビデントカバーを取り外すことができる操作性に優れ、しかもＴＥ性に優れた不正開封防止ヒンジキャップを提供することができる。
【００１２】
本発明の不正開封防止ヒンジキャップによれば、前記側壁部下部から下方に突出して前記底壁部を覆うように下部カバー開封用指掛部を形成させることもでき、これによって、タンパーエビデントカバーの把持性をさらに良好にして、その開封時における取り扱い性を高めることができる。
【００１３】
さらに、本発明の不正開封防止ヒンジキャップによれば、前記底壁部は前記キャップ本体のスカート壁外面と破断可能な弱化部を介して連結されるようにすることができ、タンパーエビデントカバーを容易に取り除くことができるとともに、下方からの開封用鍔部へのいたずらを確実に防ぐことができる。
【発明を実施するための最良の形態】
【００１４】
本発明を添付図面に示す具体例に基づいて説明する。
図１は本発明の実施形態に係るヒンジキャップの上蓋を閉栓した状態で容器口部に打栓した側面断面図である。
図２は本実施形態に係るヒンジキャップの上蓋を開いた状態での平面図である。
図３は本実施形態に係るヒンジキャップの上蓋を開いた状態での底面図である。
図４は本実施形態に係るヒンジキャップの上蓋を開いた状態での側面断面図である。
図５（ａ）は本実施形態に係るヒンジキャップのタンパーエビデントカバー部分の拡大底面図である。（ｂ）は（ａ）のＸ−Ｘ断面図である。
図６（ａ）は本実施形態に係るヒンジキャップの上蓋を閉栓した状態での未開封状態を示す正面図である。（ｂ）はその側面図である。
【００１５】
図１に示すように、本実施形態の不正開封防止ヒンジキャップ１０は、おおまかに言って、硝子或いは合成樹脂製の調味料容器などの容器口部Ｂに固定されるキャップ本体１１と、キャップ本体１１にヒンジ１３を介して連結された上蓋１２とからなり、キャップ本体１１には、上蓋１２の不正開封を明示可能にするタンパーエビデントカバー（以下、ＴＥカバーと言う）１５が設けられている。
【００１６】
図１，図２に示すように、キャップ本体１１は、頂板部１１ａと頂板部１１ａの周縁部から垂下しているスカート壁１１ｂから構成されている。頂板部１１ａには、注出用開口を形成するための無端状のスコア１７が形成され、そのスコア１７より内側の頂板部１１ａの上面側には、スコア破断用のプルリング１１ｃが支柱１１ｄを介して設けられており、プルリング１１ｃを引っ張ることにより、スコア１７が破断し、内容物を注ぎ出すための開口が頂板部１１ａに形成されるようになっている。
【００１７】
また、頂板部１１ａの上面側には、スコア１７を取り囲むようにして、注出液案内用の筒状突起１８が形成されており、注出用開口を介して注ぎ出された内容液は、この筒状突起１８によって案内される。この筒状突起１８の上端は、ラッパ状に広がって液の排出をスムーズに行い得るようになっており、ヒンジ１３側において、筒状突起１８の背が低く形成され、上蓋１２を閉じるときに後述する上蓋１２内面に形成されている周状突起２１の旋回を妨害しないようにしている。また、筒状突起１８の外側には、上蓋１２を保持するための周状突起１９が形成されている。
【００１８】
さらに、キャップ本体１１の頂板部１１ａの下面には、スカート壁１１ｂとは間隔を置いて下方に延びているインナーリング１６が形成されており、このインナーリング１６とスカート壁１１ｂとの間の空間に容器口部Ｂが嵌め込まれることにより、キャップ本体１１は、容器口部Ｂに装着される。
【００１９】
上蓋１２は、天面壁１２ｂと、天面壁１２ｂの周縁から延びている側壁１２ａとから形成されており、キャップ本体１１のスカート壁１１ｂの上端部分にヒンジ１３を介して開閉可能に連結されている。天面壁１２ｂの内面には、シール用の周状突起２１が形成されており、上蓋１２を旋回して閉栓したとき、シール用の周状突起２１が注出液案内用の筒状突起１８の内面に密着し、この密着により、スコア１７を破断した後の注出用開口形成後のシール性を確保する。また、図４に示すように、上蓋１２の側壁１２ａの内面下方部分には、凹部２２が形成されており、前述した周状突起１９の上端外周の突部が、この凹部２２と係合することにより、閉じられた上蓋１２が安定に保持されるようになっている。
【００２０】
さらに、上蓋１２の側壁１２ａには、ヒンジ１３とは反対側の位置の側壁外面下端に開封用鍔部１４が設けられており、上蓋１２の開封を容易に行うことができる。また、図３及び図６で示すように、開封用鍔部１４の周方向中央の位置に上方に延びる突出片１４ａが設けられている。この突出片１４ａは図１に示す状態、即ち、ヒンジキャップの打栓が終わった状態の製品を箱詰めする際、製品持ち上げ装置のグリッパーが直接ＴＥカバー１５当たってしまいＴＥカバーが損傷する可能性があり、その損傷を防ぐために設けている。
【００２１】
ヒンジ１３は、図２，３に示すように、中央の幅広のバンド部１３ａと、その両側の小幅のバンド部１３ｂ、１３ｂから形成されている。
【００２２】
さらに、図１乃至図３に示すように、キャップ本体１１のスカート壁１１ｂの一部は、上端から下方に延びているスリット２０により分断されており、内側壁２０ａと外側壁２０ｂとが下端で連なった二重壁構造が形成されている。ヒンジ１３の両端近傍の外側壁２０ｂには、その上端から下端乃至その近傍まで延びている軸方向スコア２３，２３が形成され、内側壁２０ａには、軸方向スコア２３，２３に対応するように、下端から上方に延びている内側スコア２４，２４が形成されている。即ち、上蓋１２を開封した状態で下方に引き降ろすことにより、軸方向スコア２３，２３が引き裂かれ、外側壁２０ｂが破断され、次に上方に引き上げることにより、内側壁２０ａの内側スコア２４，２４が破断されるため、キャップ本体１１を、格別の工具を用いることなく、容器口部から取り外すことが可能となるようになっている。
【００２３】
上蓋１２を閉栓した状態において開封用鍔部１４を覆う保護部材として、ＴＥカバー１５がキャップ本体１１のスカート壁１１ｂのヒンジ１３とは反対側の外面に設けられている。ＴＥカバー１５は、側壁部１５ｃと、側壁部１５ｃの下端からキャップ本体１１のスカート壁１１ｂ外面に向かって延びる底壁部１５ｄとからなり、側壁部１５ｃの左右両端及び底壁部１５ｄの下端はそれぞれ破断可能な弱化部１５ｅを介してキャップ本体１１のスカート壁１１ｂに連結されている。
【００２４】
図１，図５（ｂ）に示すように、ＴＥカバー１５の上方内面には、係止突起１５ｆが設けられており、閉じられた上蓋１２の開封用鍔部１４の上面と係合するようになっているとともに、閉じられた状態の上蓋１２の開封用鍔部１４はＴＥカバー１５によって完全に外部と遮断されている。このため、ＴＥカバー１５の弱化部１５ｅを破断してスカート壁１１ｂから引き剥がした後でなければ、上蓋１２を開くことができず、上蓋１２のＴＥ性が付与される構造となっている。
【００２５】
図６を用いて本実施形態のＴＥカバー１５の構成を詳しく説明する。略矩形帯状に形成されたＴＥカバー１５は、側壁部１５ｃの上下方向にそれぞれ突出して設けられている上部カバー開封用指掛部１５ａ及び下部カバー開封用指掛部１５ｂを有している。すなわち、ＴＥカバー１５の左端の一部を上方に突出させて上部カバー開封用指掛部１５ａを配置するとともに、下部には、ＴＥカバー１５の下端を下方に延出させて形成した下部カバー開封用指掛部１５ｂを配置している。下部カバー開封用指掛部１５ｂは、指を引っ掛ける部分を上部カバー開封用指掛部１５ａよりも大きく取れるので、下方からのＴＥカバー１５を開封する際における指掛りを容易にすることができる。
【００２６】
このように、本実施形態のＴＥカバー１５は、ＴＥカバー１５の上端及び下端に、上部カバー開封用指掛部１５ａ及び下部カバー開封用指掛部１５ｂの両方を設けており、上部カバー開封用指掛部１５ａを指で引っ掛けて引き降ろしたり、あるいは下部カバー開封用指掛部１５ｂを引き上げたりすることにより、弱化部１５ｅを破断し、ＴＥカバー１５の引き剥がしを行うことが容易となり開封操作性が向上する。すなわち、本実施形態の不正開封防止ヒンジキャップは、ＴＥカバー１５を上方又は下方のいずれの方向へ操作しても、ＴＥカバー１５の引き剥がしができ、ＴＥ性を確保させながら、キャップ開封時における操作性を向上させることができる。
【００２７】
図７（ａ）は、本発明の不正開封防止ヒンジキャップについての参考例１を示す正面図である。
参考例１の不正開封防止ヒンジキャップは、上部カバー開封用指掛部１５ａをＴＥカバー１５上端左側に配置するとともに、側壁部１５ｃの下端中央部を下方にさらに延出して下部カバー開封用指掛部１５ｂとしたものである。これにより、ＴＥカバー１５への下方からの指掛けをさらに容易にすることが出来る。なお、上部カバー開封用指掛部１５ａの表面の一部は、指を掛ける際における摩擦力を高めるために、その表面をギザギザ状に凹凸形成して、把持を容易にしている。
【００２８】
図７（ｂ）は、参考例２の不正開封防止ヒンジキャップであって、上部カバー開封用指掛部１５ａをＴＥカバー１５上端中央に配置するとともに、側壁部１５ｃの下端左右を下方にさらに延出して２個の下部カバー開封用指掛部１５ｂを形成したものである。これにより、ＴＥカバー１５への下方左右いずれからの指掛けを容易にすることが出来る。
【００２９】
図８（ａ）は他の実施形態の不正開封防止ヒンジキャップであって、（ｂ）はその側面図である。他の実施形態の不正開封防止ヒンジキャップは、上部カバー開封用指掛部１５ａをＴＥカバー１５上端左側に配置するとともに、側壁部１５ｃの下端中央部を外方にさらに延出して下部カバー開封用指掛部１５ｂとしたものである。これにより、ＴＥカバーへの下方からの指掛けをさらに容易にすることが出来る。
【００３０】
以上説明したように、本発明の不正開封防止ヒンジキャップは、ＴＥカバーに上部カバー開封用指掛部及び下部カバー開封用指掛部を設けることによって、ＴＥ性を確保しつつキャップ開封時における操作性を高めるようにしたことを要旨とするものであって、これに該当するものは本発明の権利範囲に属する。例えば、本実施の形態では、ＴＥカバーの上部と下部にカバー開封用指掛部を設けたものを説明したが、これらのものに限定されるものではなく、さらに側壁部に突出した指掛け部を設けたものなども適用することができる。
【図面の簡単な説明】
【００３１】
【図１】本発明の実施形態に係るヒンジキャップの上蓋を閉栓した状態で容器口部に打栓した側面断面図である。
【図２】本実施形態に係るヒンジキャップの上蓋を開いた状態での平面図である。
【図３】本実施形態に係るヒンジキャップの上蓋を開いた状態での底面図である。
【図４】本実施形態に係るヒンジキャップの上蓋を開いた状態での側面断面図である。
【図５】（ａ）は本実施形態に係るヒンジキャップのタンパーエビデントカバー部分の拡大底面図である。（ｂ）は（ａ）のＸ−Ｘ断面図である。
【図６】（ａ）は本実施形態に係るヒンジキャップの上蓋を閉栓した状態での未開封状態を示す正面図である。（ｂ）はその側面図である。
【図７】（ａ）は、本発明の不正開封防止ヒンジキャップについての参考例１を示す正面図である。（ｂ）は、参考例２の不正開封防止ヒンジキャップである。
【図８】（ａ）は他の実施形態の不正開封防止ヒンジキャップである。（ｂ）はその側面図である。
【符号の説明】
【００３２】
１０  不正開封防止ヒンジキャップ
１１  キャップ本体
１１ａ  頂板部
１１ｂ  スカート壁
１１ｃ  プルリング
１１ｄ  支柱
１２  上蓋
１２ａ  側壁
１２ｂ  天面壁
１３  ヒンジ
１３ａ、１３ｂ  バンド部
１４  開封用鍔部
１４ａ  突出片
１５  タンパーエビデントカバー（ＴＥカバー）
１５ａ  上部カバー開封用指掛部
１５ｂ  下部カバー開封用指掛部
１５ｃ  側壁部
１５ｄ  底壁部
１５ｅ  弱化部
１５ｆ  係止突起
１６  インナーリング
１７  スコア
１８  筒状突起
１９  周状突起
２０  スリット
２０ａ  内側壁
２０ｂ  外側壁
２１  周状突起
２２  凹部
２３  軸方向スコア
２４  内側スコア
Ｂ  容器口部
【図１】
0004803661.tif 000002
【図２】
0004803661.tif 000003
【図３】
0004803661.tif 000004
【図４】
0004803661.tif 000005
【図５】
0004803661.tif 000006
【図６】
0004803661.tif 000007
【図７】
0004803661.tif 000008
【図８】
0004803661.tif 000009